(57)【要約】【課題】所定位置に最小限の占有スペースで、手で保持しなくても本冊子を確実に所定安定姿勢で開いたままにしておくことができるようにする。【解決手段】対向並列する一対の挟持材３の一方端同士を、挟持材３に対してほぼ直交する連結材４を介して連結して他方端に開口部５を形成し、家具のプレート部分に開口部５から挿入してプレートを挟持しながら固定される固定パーツ２と、立脚姿勢の開かれた本冊子Ａの背表紙に当接する背当て部９の下端に、本冊子Ａの下端が乗載する乗載部１０を連設し、更にこの乗載部１０の前端に本冊子Ａの開き面を押さえる係止部１１を連設した保持パーツ８とを有し、固定パーツ２の一部に保持パーツ８を連結し、固定パーツ２の開口部５を後方に向け、或いは前方に向け、或いは下方に向けて、プレートに組み付ける。【選択図】        図１
2004337252.tif 000002
【特許請求の範囲】
【請求項１】
対向並列する一対の挟持材（３）の一方端同士を、前記挟持材（３）に対してほぼ直交する連結材（４）を介して連結して他方端に開口部（５）を形成し、家具のプレート部分に前記開口部（５）から挿入して前記プレートを挟持しながら固定される固定パーツ（２）と、立脚姿勢の開かれた本冊子（Ａ）の背表紙に当接する背当て部（９）の下端に、本冊子（Ａ）の下端が乗載する乗載部（１０）を連設し、更に該乗載部（１０）の前端に本冊子（Ａ）の開き面を押さえる係止部（１１）を連設した保持パーツ（８）とを有し、前記固定パーツ（２）の一部に保持パーツ（８）を連結したことを特徴とするブックスタンド。
【請求項２】
固定パーツ（２）と保持パーツ（８）を、金属または合成樹脂製の線材で成形したことを特徴とする請求項１に記載のブックスタンド。
【請求項３】
保持パーツ（８）の背当て部（９）にシート（１８）を張設したことを特徴とする請求項２に記載のブックスタンド。
【請求項４】
保持パーツ（８）の背当て部（９）、乗載部（１０）、係止部（１１）を、夫々板材で成形したことを特徴とする請求項１に記載のブックスタンド。
【請求項５】
固定パーツ（２）の開口部（５）を後方に向けたことを特徴とする請求項１、２、３、４に記載のブックスタンド。
【請求項６】
固定パーツ（２）の開口部（５）を前方に向けたことを特徴とする請求項１、２、３、４に記載のブックスタンド。
【請求項７】
固定パーツ（２）の開口部（５）を下方に向けたことを特徴とする請求項１、２、３、４に記載のブックスタンド。
【発明の詳細な説明】
【０００１】
【発明の属する技術分野】
本発明は、状況に応じた種々の位置で使用することができるブックスタンドに関するものである。
【０００２】
【従来の技術】
読書は、机の前に座って姿勢を正して両手で本冊子を持って行うとは限らず、何等かの作業をしながらのことも多々ある。例えば資料としての本冊子を開いて参考にしながら原稿を書き、パソコンのキーボードやマウスを操作するといったが如きである。
【０００３】
このような場合、本冊子を開いて手を離したまま読めるようにするため、そして本冊子を広げるスペースをできるだけ小さくするため、ブックスタンド（所謂書見台）が広く使用されてきていた。この種の書見台の簡易なものとしては、例えば実開昭６３−６８８２７号公報の「連結パイプで折りたたむ書見台」、実開平１−５９４２９号公報の「パイプのワイヤーとの組み合わせによる書見台」、実開平６−６６３７５号公報の「折りたためるワイヤー書見台」等が開示されている。
【０００４】
【発明が解決しようとする課題】
処がこれ等の書見台は、単に本冊子を保持して机やテーブルの上に載置するだけであるから、本冊子の重量で傾いたり、ページを繰る際にがたついたりして、姿勢が極めて不安定であった。また、書見台を載置するための充分のスペースを机やテーブルの上に設けなければならない。
【０００５】
そして昨今では、浴室で湯船に長時間浸かりながら読書することも多いのであるが、本冊子が濡れ易く、また保持しにくく、前記した構成の書見台では更に姿勢が不安定になる、といった問題があった。
【０００６】
よって本発明は、この従来の不満点を解消し要求に応えるべく発明されたブックスタンドであって、好みの位置に占有スペースを最小限にしながらも、手で保持しなくても本冊子を確実に所定安定姿勢で開いたままにしておくことができるようにすることを目的とする。
【０００７】
【課題を解決するための手段】
上述した従来の課題を解決する本発明は、対向並列する一対の挟持材の一方端同士を、挟持材に対してほぼ直交する連結材を介して連結して他方端に開口部を形成し、家具のプレート部分に前記した開口部から挿入して前記したプレートを挟持しながら固定される固定パーツと、立脚姿勢の開かれた本冊子の背表紙に当接する背当て部の下端に、本冊子の下端が乗載する乗載部を連設し、更にこの乗載部の前端に本冊子の開き面を押さえる係止部を連設した保持パーツとを有し、固定パーツの一部に保持パーツを連結したことを特徴とする構成である。
【０００８】
この場合、固定パーツと保持パーツを、金属または合成樹脂製の線材で成形する。
【０００９】
また、保持パーツを線材で成形した場合、背当て部にシートを張設する。
【００１０】
或いは、保持パーツの背当て部、乗載部、係止部を、夫々板材で成形する。
【００１１】
更に、固定パーツの開口部を後方に向け、或いは前方に向け、或いは下方に向けた構成とする。
【００１２】
【発明の実施の形態】
以下、本発明の実施の形態を説明すると、先ず本発明のブックスタンド１が組み付けられる家具とは、例えば机やテーブル等であって、庇状のほぼ水平なプレートを有するもの、或いは椅子の背板等でほぼ垂直なプレートを有するもの等であり、更には浴室では湯船蓋として使用される風呂板プレートである。
【００１３】
次に、上記した各種のプレートに、それを挟持する形態で組付け固定される本発明のブックスタンド１に於ける固定パーツ２は、図示実施例では１本の金属線材或いは合成樹脂線材を屈曲して成形され、対向並列させた一対の挟持材３の一方端同士を、挟持材３に対してほぼ直交する連結材４を介して連結して、他方端に開口部５を形成する構成である。
【００１４】
即ち、挟持材３は横桿６の両端に側桿７を直角に連設したコ字形状であり、対向させて並列に配したこの一対の挟持材３にあって、対向する夫々の側桿７の一方端同士を挟持材３に対してほぼ直交する形態の連結材４を介して連結するものである。
【００１５】
そして家具等のプレート部分に、固定パーツ２の他方端に形成された開口部５を挿入して、プレートを挟持しながら固定パーツ２を固定するものであり、この挟持を強力にするため、連結材４の長さをプレートの厚さより若干大きくすると共に、開口部５の開口幅をプレートの厚みよりも小さくし、弾性力をもって挟持できるようにしている。
【００１６】
次に保持パーツ８は、図１、図２、図３の図示実施例の場合、同じく１本の金属線材或いは合成樹脂線材を屈曲して成形され、立脚姿勢の開かれた本冊子Ａを、背表紙に当接して背後から保持する背当て部９の下端に、本冊子Ａの下端が乗載するほぼ水平姿勢の乗載部１０を連設し、更にこの乗載部１０の前端に、本冊子Ａの開き面を押さえるほぼ垂直姿勢の係止部１１を連設した構成である。
【００１７】
即ち背当て部９は、水平桿１２の両端に傾斜桿１３を連設した略コ字形状で、傾斜桿１３の下端に、前方に水平に突出する形態の乗載部１０を連設し、更にこの乗載部１０の前端に、図示実施例では正面視で略Ｍ字形状の係止部１１を屈曲立設するのである。
【００１８】
また、乗載部１０の後端には下部パーツ１４が架け渡される。この下部パーツ１４は、架設桿１５の両端に垂直桿１６を垂下連設した構成で、垂直桿１６の下端部が乗載部１０の後端に、例えば金属材の場合にはスポット溶接されるが、垂直桿１６の下端部は更に下方に突出していて係止桿１７が形成される。
【００１９】
尚、この下部パーツ１４に代えて背当て部９にシート１８を張設する構成としても良い（図２参照）。そして、背当て部９の水平桿１２中央部には、後方に突出した湾曲部１９となっており、開かれた本冊子Ａの背表紙が入り込み、ずれないようにしている。
【００２０】
更に図４の図示実施例は、背当て部９、乗載部１０、係止部１１を合成樹脂製の板材で成形した場合を示している。
【００２１】
図１及び図３は、本発明にかかるブックスタンド１の代表例を示すもので、固定パーツ２にあって、他方端である開口部５を後方に向け、従って連結材４を前端に位置させた姿勢で、上位の挟持材３の側桿７の連結材４側である前端部に保持パーツ８の乗載部１０を乗載し、この乗載部１０と上位の挟持材３の側桿７とを、例えば硬質の合成樹脂部材で成形したジョイント２０で相互固定する。このジョイント２０は、断面Ｃ字形状をしており、線材である乗載部８と側桿７とを同時に挟持するものである。
【００２２】
この組付けた状態では、下部パーツ１４の下方に突出している係止桿１７が、乗載部１０の下位に位置する挟持材３の側桿７に側方から係止することになるので、固定パーツ２に対して保持パーツ８が左右に傾くことはない。
【００２３】
この姿勢で本冊子Ａを開いて乗載部１０に乗せ、表裏の表紙及び背表紙を傾斜姿勢の背当て部９に当接させて保持させ、更に乗載部１０の前端の係止部１１で本冊子Ａの開き面を押さえるのである。この状態では、本冊子Ａは、その背表紙部分が背当て部９の湾曲部１９に入り込んで左右にずれないようになっており、またその下端部は下部パーツ１４の架設桿１５によって後方から支持され、本冊子Ａ自身の重みによって後方にずれてページを閉じてしまうといったことがない。
【００２４】
そして図２の如く背当て部７にシート１４を張設した構成では、シート１８面で本冊子Ａを支持するので後方にずれる虞れはなく、下部パーツ１４を必要としない。
【００２５】
或いは図４の実施例の如く、背当て部９、乗載部１０、係止部１１を板材で成形した場合には、本冊子Ａを確固と保持することができて、同じく下部パーツ１４を必要としない。また、ここでの乗載部１０と固定パーツ２の側桿７との連結は、ジョイント２０として別部材を用意する必要はなく、乗載部１０の下面側端部に、側桿７が嵌合する溝を設け、この溝をもってジョイント２０としりば良い。
【００２６】
さて、上述した図１、図２、図４の構成の固定パーツ２と保持パーツ８との組み合わせ物であるブックスタンド１では、そのまま机やテーブルの上に安定して設置できるが、更にはこの机やテーブルの庇状の水平なプレートの手前部分に固定パーツ２の開口部５を前方から差し込んで挟持させれば（図５参照）、机やテーブルの前方に本冊子Ａを配置することができることになり、本冊子Ａを開き置くスペースを机面等に形成しなくても良いことになる。
【００２７】
次いで図６は、固定パーツ２にあって、他方端である開口部５を前方に向け、従って連結材４を後端に位置させた姿勢で、上位の挟持材３の側桿７の連結材４側である後端部で、乗載部１０と上位の挟持材３の側桿７とをジョイント２０を介して相互固定し、固定パーツ２と保持パーツ８とを組み合わせている。
【００２８】
ここでは、上述した図１、図２、図４の構成のブックスタンド１と同様にそのまま机やテーブルの上に安定して設置できるが、机やテーブルの庇状の水平なプレートの後端部分に固定パーツ２の開口部５を後方から差し込んで挟持させれば、同様に机面等のスペースを有効に活用できる。
【００２９】
更に図７は、固定パーツ２の開口部５を下方に向け、連結材４を上端に位置させた姿勢で、乗載部１０と連結材４とをジョイント２０を介して相互固定した構成で、椅子の背板等の垂直なプレートに開口部５を上方から差し込んで挟持させれば、机等を使用しなくても本冊子Ａを開いたままにしておくことができる。
【００３０】
そして浴室では、湯船から外した所定姿勢の風呂板プレートに対し、図５、６、７の何れかの形態のブックスタンド１を組み付ければ、湯船に浸かりながら読書することも実現できることになる（図示省略）。
【００３１】
【発明の効果】
以上説明したように本発明のブックスタンドによれば、安定した姿勢で本冊子を保持することが可能で、単に机やテーブル等の上に設置できるだけでなく、それらの縁に確固と組付け係止でき、更には浴室に設置して本冊子を濡らすことなく読書を実現させる等、設置箇所を自由に選択できる。
【００３２】
しかも設置スペースを最小限にとどめることができ、ジョイントの着脱だけで固定パーツと保持パーツとを所望の組み合わせ形態に変更することができ、構成が簡単であって単なる線材の組み合わせ、或いは板材ので成形することができるので廉価な製造が期待できる等、多くの優れた作用効果を奏する。
【図面の簡単な説明】
【図１】本発明のブックスタンドの斜視図である。
【図２】本発明の他の実施例を示す斜視図である。
【図３】図１の分解斜視図である。
【図４】本発明の更に他の実施例を示す斜視図である。
【図５】本発明のブックスタンドをテーブルの手前側に装着固定する状態の斜視図である。
【図６】本発明のブックスタンドをテーブルの奥側に装着固定する状態の斜視図である。
【図７】本発明のブックスタンドを椅子の背板に装着固定する状態の斜視図である。
【符号の説明】
１；ブックスタンド、２；固定パーツ、３；挟持材、４；連結材、５；開口部、６；横桿、７；側桿、８；保持パーツ、９；背当て部、１０；乗載部、１１；係止部、１２；水平桿、１３；傾斜桿、１４；下部パーツ、１５；架設桿、１６；垂直桿、１７；係止桿、１８；シート、１９；湾曲部、２０；ジョイント、Ａ；本冊子。
【図１】
2004337252.tif 000003
【図２】
2004337252.tif 000004
【図３】
2004337252.tif 000005
【図４】
2004337252.tif 000006
【図５】
2004337252.tif 000007
【図６】
2004337252.tif 000008
【図７】
2004337252.tif 000009